(57)【特許請求の範囲】
【請求項１】
被検眼に対し視標を投影する視標投影部と、
前記視標の位置を被検眼の光軸方向に沿って移動させる視標移動機構と、
を備え、
前記視標移動機構により前記視標を複数の測定位置に配置し、前記複数の測定位置における被検眼の高周波成分の屈折力変化である眼調節機能状態を測定する制御部とを備える眼調節機能状態測定装置において、
前記制御部は、測定途中において、前記眼調節機能状態の連続した態様の変化と、前記測定位置の変化による被験者の乱視成分の連続した態様の変化とを表示部に表示すること、
を特徴とする眼調節機能状態測定装置。
【請求項２】
請求項１に記載の眼調節機能状態測定装置において、
前記制御部は、測定が進んだ前記測定位置の前記眼調節機能状態の前記変化と、乱視成分の前記変化とを表示部に表示すること、
を特徴とする眼調節機能状態測定装置。
【請求項３】
請求項１又は請求項２に記載の眼調節機能状態測定装置において、
前記制御部は、
視標移動機構により前記視標を複数の測定位置に配置し、前記各測定位置の測定時間内を複数の区間に細分して解析を行うことにより、前記各区間における眼調節機能状態の測定し、
測定が進んだ前記測定位置の前記区間の前記眼調節機能状態の前記変化と、乱視成分の前記変化とを表示部に表示すること、
を特徴とする眼調節機能状態測定装置。
【発明の詳細な説明】
【技術分野】
【０００１】
本発明は、被検眼の眼調節機能状態の測定を行う眼調節機能状態測定装置に関するものである。
【背景技術】
【０００２】
検眼及び眼屈折検査において、眼の調節機能状態を把握することが望まれるようになってきており、例えば、特許文献１に記載された眼調節機能状態測定装置のように、他覚的な眼の調節機能測定を行う装置が提案されている。
この眼調節機能状態測定とは、特許文献１によると、従来の眼屈折力測定方法（例えば、特許文献２の方法）と同様の眼屈折力の測定を連続的に行い、複数の屈折力測定値より屈折力の高周波成分の算出処理を行うことで眼調節機能状態を測定するものである。そして、この連続的な測定を２０秒間程度を１ステップとして、視標位置を移動しながら複数の位置（例えば、８箇所で８ステップ程度）の測定を行うものである。
【０００３】
従来の眼調節機能状態測定では、２０秒で１ステップの測定を８ステップ行ったとすると、合計で１６０秒間測定が行われていた。測定中の被検者はその間視標をじっと見すえる必要があり、測定がこのように長時間になると、通常以上に被検者の緊張が増してしまうという問題があった。
また、１６０秒間見続けること自体も被検者に苦痛を強いるという問題があった。
さらに、操作者にとっての問題としては、１６０秒間測定した後に結果が出てくるために、例えば眼が動いてしまったとか、まばたきが多く行われた等で眼調節機能状態算出に必要なデータに不足があったとしても、途中ではわからないため、最後まで測定を続けてしまい、測定ミスがあった場合には、再度最初から測定をやり直さなければならないという問題があった。
さらにまた、測定毎にその結果をファイル保存して蓄積していくと、ファイル数が膨大になり、例えば、眼調節機能状態に異常がある被検者の情報を集めたいとした場合に、必要な測定結果を抽出して再利用することが非常に困難であるという問題があった。そして、以前の測定結果を容易に再利用できないので、被検者に対して最適な条件で測定を開始できず、試行錯誤を繰り返すこととなり、被検者、及び、操作者の双方にとって負担が大きくなる場合があるという問題があった。
【先行技術文献】
【特許文献】
【０００４】
【特許文献１】特開２００３−７０７４０号公報
【特許文献２】特開平６−１６５７５７号公報
【発明の概要】
【発明が解決しようとする課題】
【０００５】
本発明の課題は、被検者、及び、操作者の双方に掛かる負担を軽減し、より使いやすい眼調節機能状態測定装置を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
第１の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、測定終了時の前記視標の位置を変更する終了位置修正部（６５ｂ）を備えること、を特徴とする眼調節機能状態測定装置（５１）である。
第２の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、前記視標の前記複数位置毎の前記眼調節機能状態測定を行う時間を変更する測定時間修正部（６５ｃ）を備えること、を特徴とする眼調節機能状態測定装置（５１）である。
第３の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、前記眼調節機能状態の測定の進行状態に関わらず測定動作を途中で停止させることができる途中停止部（６５ｄ）を備えること、を特徴とする眼調節機能状態測定装置（５１）である。
第４の発明は、第３の発明の眼調節機能状態測定装置において、前記途中停止部（６５ｄ）は、途中で停止した前記眼調節機能状態の測定を、その停止した状態から再開可能であること、を特徴とする眼調節機能状態測定装置（５１）である。
第５の発明は、第３の発明の眼調節機能状態測定装置において、前記途中停止部（６５ｄ）は、途中で停止した前記眼調節機能状態の測定を、その停止した状態で途中終了可能であること、を特徴とする眼調節機能状態測定装置（５１）である。
第６の発明は、第５の発明の眼調節機能状態測定装置において、前記眼調節機能状態の測定を途中終了した後に、再度最初から前記眼調節機能状態の測定をやり直す場合に、やり直しの測定開始時の前記視標の位置を修正可能な初期位置修正部（６５ａ）を備えること、を特徴とする眼調節機能状態測定装置（５１）である。
第７の発明は、第６の発明の眼調節機能状態測定装置において、前記視標初期位置修正部（６５ａ）により測定開始時の前記視標の位置を修正したときに、測定終了時の前記視標の位置を前記視標初期位置修正部により修正した前記視標の位置に応じて自動的に、及び／又は、手動により変更する終了位置修正部（６５ｂ）を備えること、を特徴とする眼調節機能状態測定装置（５１）である。
第８の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、測定継続中に音声及び／又は音楽を再生する音声再生部（６５ｅ）を備えること、を特徴とする眼調節機能状態測定装置（５１）である。
第９の発明は、第８の発明の眼調節機能状態測定装置において、前記音声再生部（６５ｅ）は、前記視標（６２ａ）の前記複数位置毎に音声及び／又は音楽を再生すること、を特徴とする眼調節機能状態測定装置（５１）である。
第１０の発明は、第８又は第９の発明の眼調節機能状態測定装置において、前記音声再生部（６５ｅ）により再生される音声及び／又は音楽は、前記視標（６２ａ）の前記複数位置毎で測定が終了する位置毎測定終了予定時間、又は、前記視標の測定開始位置から測定終了位置までの全ての視標位置での測定が終了する全測定終了予定時間に合わせた長さであること、を特徴とする眼調節機能状態測定装置（５１）である。
第１１の発明は、第８から第１０までのいずれかの発明の眼調節機能状態測定装置において、前記音声再生部（６５ｅ）により再生される音声及び／又は音楽は、前記視標（６２ａ）の前記複数位置毎の測定の進度、及び／又は、前記視標の測定開始位置から測定終了位置までの全ての視標位置での測定の進度が把握可能な内容であること、を特徴とする眼調節機能状態測定装置（５１）である。
第１２の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、前記視標位置の変化による被験者の乱視成分の変化を表示する乱視成分変化表示部（６５ｆ）を備えること、を特徴とする眼調節機能状態測定装置（５１）である。
第１３の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、前記視標位置毎の眼調節機能状態の測定が完了する度に、次の視標位置の眼調節機能状態の測定を続けた状態で、その測定結果を表示する測定途中結果表示部（６５ｇ）を備えること、を特徴とする眼調節機能状態測定装置（５１）である。
第１４の発明は、被検眼（６０）に対し視標（６２ａ）を投影する視標投影部（６２）と、前記視標の位置を被検眼の光軸方向に沿って移動させる視標移動機構と、を備え、前記視標移動機構により前記視標を複数位置に配置し、前記複数位置における被検眼の高周波成分の屈折力変化である眼調節機能状態を測定する眼調節機能状態測定装置において、眼調節機能状態の測定により得られた測定値の少なくとも一部を含むデータ単位を、予め決められた書式に従い追加保存して１つのデータベースとするデータ処理部（６５ｈ）と、前記データ処理部により保存された前記データベースの中から選択した必要な情報を抽出できる情報検索部（６５ｉ）と、を備えること、を特徴とする眼調節機能状態測定装置（５１）である。
第１５の発明は、第１４の発明の眼調節機能状態測定装置において、前記データ処理部（６５ｈ）は、前記データ処理部により保存されたデータベースに含まれないデータ単位であって、眼調節機能状態の測定により得られた情報の少なくとも一部を含むデータについて、その読み込み、及び／又は、加工を行えること、を特徴とする眼調節機能状態測定装置（５１）である。
【発明の効果】
【０００７】
本発明によれば、以下の効果を奏することができる。
（１）測定終了時の視標の位置を変更する終了位置修正部を備えるので、例えば、より多くの測定データを得たい場合等に、柔軟に対応でき、使い勝手をよくできる。
【０００８】
（２）視標の複数位置毎の眼調節機能状態測定を行う時間を変更する測定時間修正部を備えるので、被検者が子供等の場合に、測定時間を短くでき、被検者に対する負担を軽減できる。
【０００９】
（３）眼調節機能状態の測定の進行状態に関わらず測定動作を途中で停止させることができる途中停止部を備えるので、測定にミスがある場合等に不必要な測定を継続することなく停止したり、休憩のために停止したりでき、被検者の負担を軽減できる。
【００１０】
（４）途中停止部は、途中で停止した眼調節機能状態の測定を、その停止した状態から再開可能であるので、適度に途中停止を行い、瞼を閉じてもらう等することにより、被検者の負担を軽減できる。
【００１１】
（５）途中停止部は、途中で停止した眼調節機能状態の測定を、その停止した状態で途中終了可能であるので、無駄な測定を続行して被検者の負担を増大させてしまうことを防止できる。
【００１２】
（６）眼調節機能状態の測定を途中終了した後に、再度最初から眼調節機能状態の測定をやり直す場合に、やり直しの測定開始時の視標の位置を修正可能な初期位置修正部を備えるので、途中まで行った測定結果から判断してより最適な初期位置を選択でき、無駄な測定を繰り返してしまうことを防止できる。
【００１３】
（７）視標初期位置修正部により測定開始時の視標の位置を修正したときに、測定終了時の視標の位置を視標初期位置修正部により修正した視標の位置に応じて自動的に、及び／又は、手動により変更する終了位置修正部を備えるので、視標の初期位置を変更した場合であっても、変更しない場合と同量の測定データを得られる。
【００１４】
（８）測定継続中に音声及び／又は音楽を再生する音声再生部を備えるので、被検者をリラックスさせることができる。
【００１５】
（９）音声再生部は、視標の複数位置毎に音声及び／又は音楽を再生するので、測定の進度を把握できる。よって、被検者は、あとどのくらいの時間我慢すればよいのかが分かり、精神的に余裕を持つことができる。
【００１６】
（１０）音声再生部により再生される音声及び／又は音楽は、視標の複数位置毎で測定が終了する位置毎測定終了予定時間、又は、視標の測定開始位置から測定終了位置までの全ての視標位置での測定が終了する全測定終了予定時間に合わせた長さであるので、測定の進度をより的確に把握できる。よって、被検者は、あとどのくらいの時間我慢すればよいのかが分かり、精神的に余裕を持つことができる。
【００１７】
（１１）音声再生部により再生される音声及び／又は音楽は、視標の複数位置毎の測定の進度、及び／又は、視標の測定開始位置から測定終了位置までの全ての視標位置での測定の進度が把握可能な内容であるので、被検者は、あとどのくらいの時間我慢すればよいのかが分かり、精神的に余裕を持つことができる。
【００１８】
（１２）視標位置の変化による被験者の乱視成分の変化を表示する乱視成分変化表示部を備えるので、眼調節機能状態の変化と乱視成分の変化とを対比できる。
【００１９】
（１３）視標位置毎の眼調節機能状態の測定が完了する度に、次の視標位置の眼調節機能状態の測定を続けた状態で、その測定結果を表示する測定途中結果表示部を備えるので、正しく測定が行われているか否かを測定中に把握でき、測定を中断する必要があるか否かの判断を行える。したがって、無駄に測定を継続してしまうことを防止でき、被検者への負担を軽減できる。
【００２０】
（１４）眼調節機能状態の測定により得られた測定値の少なくとも一部を含むデータ単位を、予め決められた書式に従い追加保存して１つのデータベースとするデータ処理部と、データ処理部により保存されたデータベースの中から選択した必要な情報を抽出できる情報検索部とを備えるので、測定データを有効に活用できる。また、データの管理が容易になり、測定者の負担が軽減される。
【００２１】
（１５）データ処理部は、データ処理部により保存されたデータベースに含まれないデータ単位であって、眼調節機能状態の測定により得られた情報の少なくとも一部を含むデータについて、その読み込み、及び／又は、加工を行えるので、他の場所で測定された被検者のデータを利用できる。したがって、無駄な測定を減らし、被検者の負担を軽減できる。
【図面の簡単な説明】
【００２２】
【図１】本発明の実施例１の眼調節機能状態測定装置５１の構成図である。
【図２】チョッパ６１ａの縞模様を示す図である。
【図３】制御部６５により実行される眼調節機能状態測定の動作を示すフローチャートである。
【図４】遠点位置Ｄ０測定の動作（Ｓ１００）を示すフローチャートである。
【図５】眼調節機能状態測定の本測定の動作（Ｓ５００）を示すフローチャートである。
【図６】図５のＳ５３０における所定時間Ｔ中の眼屈折力の経時的な変化の監視及び高周波成分の出現頻度算出の動作を示すフローチャートである。
【図７】解析手順（Ｓ５３３）を説明する図である。
【図８】実施例１における眼調節機能状態の測定結果を表示した例を示す図である。
【図９】本発明の実施例２の眼調節機能状態測定装置の構成図である。
【図１０】測定装置本体１５１の測定開始前の準備処理を示すフローチャートである。
【図１１】測定装置本体１５１の測定動作を示すフローチャートである。
【図１２】遠点位置Ｄ０測定の動作（Ｓ１１００）を示すフローチャートである。
【図１３】測定装置本体１５１の眼調節機能状態測定の本測定の動作（Ｓ１５００）を示すフローチャートである。
【図１４】データ処理装置２００の眼調節機能状態測定の本測定の動作を示すフローチャートである。
【発明を実施するための形態】
【００２３】
（実施例１）
以下、図面に基づいて本発明の実施例１について説明する。
図１は、本発明の実施例１の眼調節機能状態測定装置５１の構成図である。本発明で用いる装置は、測定の原理としては検影法を用いている。
眼調節機能状態測定装置５１は、屈折測定部６１、画像投影部６２、ダイクロイックミラー６３、制御部６５、表示部６６、記憶部６９等を有している。
【００２４】
投影部６２には、被検眼６０に近い側（近方）から順に、凸レンズ６２ｃ、視標６２ａ、光源６２ｂが配置されている。光源６２ｂによって照明された視標６２ａからの光束は、凸レンズ６２ｃにより平行光束に近い状態に変換されてから被検眼６０へ入射するので、被検眼６０から見ると、視標６２ａの位置は、実際の位置よりも遠方にあるように見える。このうち、視標６２ａと光源６２ｂとは、互いの位置関係を不変にした状態で、共に不図示の視標移動機構及びモータ６２ｄによって被検眼６０の光軸方向に移動可能である。
【００２５】
図２は、チョッパ６１ａの縞模様を示す図である。
図１に戻って、屈折測定部６１には、スリットが形成されたチョッパ６１ａ、チョッパ６１ａを回転させるモータ６１ｉ、チョッパ６１ａを照明する光源（赤外光光源）６１ｂ、チョッパ６１ａにより形成される縞模様を被検眼６０の眼底に投影するレンズ６１ｄ、被検眼６０の眼底から戻る光が形成する縞模様の移動速度を検出する受光部６１ｈ、レンズ６１ｆ、絞り６１ｇ等が備えられる。その他、屈折測定部６１には、レンズ６１ｃ、ハーフミラー６１ｅ等が設けられている。
【００２６】
ダイクロイックミラー６３は、屈折測定部６１から出射される測定光（赤外光）と、投影部６２から出射される測定光（可視光）とを、それぞれ被検眼６０へ導き、また、被検眼６０から戻る赤外光については、屈折測定部６１へ戻す働きをする。ここで、屈折測定部６１においては、チョッパ６１ａが回転するので、被検眼６０の眼底に投影される縞模様は移動する。そして、受光部６１ｈ上に形成される縞模様の移動速度は、被検眼６０の眼屈折力に応じて変化する。チョッパ６１ａの縞模様として図２のように２種類の方向の縞７１ａ、７１ｂがチョッパ上に形成されており、チョッパが１周すると、２方向の経線方向が測定され、球面度数、乱視度数、乱視軸等の眼屈折力が算出される。
【００２７】
制御部６５は、ＣＰＵ、及び、その動作に使用されるメモリを備えた回路等からなり、受光部６１ｈの出力する信号を参照して、光源６２ｂ、６１ｂ、モータ６２ｅ，６１ｉ、及び、表示部６６を駆動制御したり演算を行ったりする。制御部６５は屈折測定部６１を駆動しつつその出力を参照する（光源６２ｂを駆動しつつモータ６２ｄを駆動制御する）ことにより、視標６２ａ（視標６２ａ及び光源６２ｂ）の配置、及び、位置の走査を行う。
また、制御部６５は、光源６１ｂ、モータ６１ｉ、及び受光部６１ｈを駆動しつつその受光部６１ｈの出力を参照することにより、前述のごとく被検眼６０の眼屈折力を測定する。
さらに、制御部６５には、初期位置修正部６５ａ，終了位置修正部６５ｂ，測定時間修正部６５ｃ，途中停止部６５ｄ，音声再生部６５ｅ，乱視成分変化表示部６５ｆ，測定途中結果表示部６５ｇ，データ処理部６５ｈ，情報検索部６５ｉ等を有している。
【００２８】
初期位置修正部６５ａは、後述の途中停止部６５ｄにより測定を途中停止して始めから再測定を行う場合に、後述の測定途中結果表示部６５ｇが表示した途中までの測定結果から判断して、視標６２ａの初期位置の修正を行う部分である。この初期位置の修正は、途中結果から自動的に判断してもよいし、測定者が判断して初期位置を手入力することにより修正してもよい。また、以前の測定結果に基づいて修正を行ってもよい。
眼調節機能状態の測定は、予め測定した目の近視度の値を基準として視標６２ａの位置を遠く（初期位置）に配置する（後述する遠点位置から＋０．５Ｄｐ（ディオプター）という位置に遠ざける）。しかし、被検眼によっては、どこを基準としてよいか非常に微妙になることがある。本来、目が焦点調節を行わない領域から測定を行いたいのであるが、被検眼によっては、上記初期位置でも焦点調節を行ってしまう場合がある。そのような場合には、初期位置修正部６５ａにより初期位置を修正して再度測定を行う。
【００２９】
終了位置修正部６５ｂは、初期位置修正部６５ａが修正した視標６２ａの初期位置に応じて、測定終了時の視標６２ａの位置を修正する部分である。この視標６２ａの終了位置修正は、修正された視標６２ａの初期位置に基づいて自動的に修正してもよいし、測定者が判断して終了位置を手入力することにより修正してもよい。終了位置修正部６５ｂが視標６２ａの終了位置を修正することにより、視標６２ａの初期位置を修正しても、修正前と同量の測定データ（実施例１では、８ステップ分）を得ることができる。
【００３０】
測定時間修正部６５ｃは、視標６２ａが特定の位置に配置された状態で、眼調節機能状態測定を行う時間Ｔを変更する部分である。
実施例１の眼調節機能状態測定装置では、１ステップ２０秒を８ステップ（ただし、視標６２ａの初期位置及び終了位置を変更した場合には、８ステップに限らない）で１通りの測定を終了する。しかし、その間、視標６２ａを見ていることは、大人でもつらい。まして、子供は耐えられない場合が多い。そこで、実施例１では、測定時間を上述のほか、１ステップ１０秒、１ステップ５秒、１ステップ３秒の中から選択可能として、測定時間を変更できるようにした。なお、測定時間を変更しても同等の測定結果が得られるように、実施例１では、測定データに測定時間に応じた係数を掛けている。
【００３１】
途中停止部６５ｄは、眼調節機能状態の測定の進行状態に関わらず測定動作を途中で停止させる部分である。実施例１では、後述の測定途中結果表示部６５ｇにより測定中に略リアルタイムで測定結果を表示する。したがって、その途中経過を見れば、そのときの測定が正しく行われているかどうか、測定条件が適切であるか否か等が分かる。そして、そのまま測定を続けることが望ましくない場合には、測定者の操作によって、途中停止部６５ｄは、測定を即時に停止する。
途中停止部６５ｄが測定を途中で停止した場合には、その後の動作としては、途中で停止した眼調節機能状態の測定を、その停止した状態から再開可能するか、又は、その停止した状態で途中終了することができる。
【００３２】
音声再生部６５ｅは、測定継続中に音声や音楽を再生する部分である。
この音声再生部６５ｅにより再生する音声・音楽は、視標６２ａのある位置毎で測定が終了する位置毎測定終了予定時間（時間Ｔ）、又は、視標６２ａの測定開始位置から測定終了位置までの全ての視標位置での測定が終了する全測定終了予定時間（時間Ｔ×ステップ数（実施例１では、ステップ数＝８））に合わせた長さとすることにより、区切りの測定時間毎に音声又は音楽が終了し、測定の進度を把握することができる。
また、この音声再生部６５ｅにより再生する音声・音楽は、視標６２ａのある位置毎の測定の進度や、視標６２ａの測定開始位置から測定終了位置までの全ての視標位置での測定の進度が把握可能な内容（例えば、あと何秒で測定終了である旨のカウントダウンを行う等）としてもよい。
【００３３】
乱視成分変化表示部６５ｆは、視標位置の変化による被験者の乱視成分の変化を表示する部分である。実施例１では、区間毎に乱視成分の測定結果を表示する。
【００３４】
測定途中結果表示部６５ｇは、視標位置毎の眼調節機能状態の測定が完了する度に、次の視標位置の眼調節機能状態の測定を続けた状態で、その測定結果を表示する部分である。なお、実施例１では、視標位置毎に決められた測定時間Ｔをさらに細分した一区間毎に測定結果を表示する。
【００３５】
データ処理部６５ｈは、眼調節機能状態の測定により得られた測定値の少なくとも一部を含むデータ単位を、予め決められた書式に従い追加保存して１つのデータベースとする部分である。
情報検索部６５ｉは、データ処理部６５ｈにより保存されたデータベースの中から選択した必要な情報を抽出する部分である。例えば、乱視度、屈折値が特定の数値範囲のものを抽出したり、高周波の出現度数が特定値以上高いものだけ抽出したりできる。このようなデータベースを持つことにより、多数のファイルを検索して探すことなく、効率よく目的のデータを利用でき、また、多数の被検眼の情報を有効に活用できる。
また、データ処理部６５ｈは、このデータ処理部６５ｈにより保存されたデータベースに含まれないデータ単位であって、眼調節機能状態の測定により得られた情報の少なくとも一部を含むデータについて、その読み込み、及び／又は、加工を行うことができる。したがって、同一のフォーマットにしたがって記録されていれば、例えば、他の病院において以前測定された被検眼のデータをデータベースに追加し、利用できる。
【００３６】
以下、眼調節機能状態の測定動作について、制御部６５による制御を中心として説明する。
図３は、制御部６５により実行される眼調節機能状態測定の動作を示すフローチャートである。
制御部６５は、不図示の測定開始釦が押されたことを認識すると、ステップ（以下、Ｓとする）１００で、先ず、本測定に入る前の準備測定として、被検眼６０の有している固有の特性の１種である、遠点位置Ｄ０を測定する。遠点位置とは、被検眼にとって最も遠くが見える視標の位置であり、これを測定するのは、本測定手順の内容を、個々の被検眼６０の特性に適応させるためである。この遠点位置の測定は、一般的な眼屈折力測定で行われるものと同じである。Ｓ１００の動作は、図４によりさらに詳しく説明する。
【００３７】
図４は、遠点位置Ｄ０測定の動作（Ｓ１００）を示すフローチャートである。
遠点位置Ｄ０の測定では、先ず、Ｓ１０１で、視標６２ａが所定位置Ｄ００に移動されて配置される。この所定位置Ｄ００は、被検眼６０を基準とした十分に近方の位置、例えば、被検眼６０から見て３０ｃｍの遠隔位置に相当する位置である（なお、その遠隔位置を、そこに配置された物体を結像するために必要な眼屈折力によって表すと、約３．３３Ｄｐ（ディオプター）である。以下、被検眼６０を基準とした位置を、このように眼屈折力によって表す）。
【００３８】
Ｓ１０２では、視標６２ａの位置が徐々に遠方に走査される。
Ｓ１０３では、そのときの被検眼６０の眼屈折力の変化が監視される。なお、この監視のタイミングについては、間欠的でも、連続的でもよい。ここで、被検眼６０が視標６２ａを明視できている（すなわち被検眼６０が調節を行っている）ときには、眼屈折力は視標６２ａの位置の走査に追従する。しかし、被検眼６０が視標６２ａを明視できない（すなわち被検眼６０が調節を行わない）ときには、眼屈折力は視標６２ａの位置の走査に追従しない。
【００３９】
この眼屈折力が追従できなくなり始める位置が被検眼６０の「遠点」、つまり、被検眼６０が明視できる一番遠くの位置である。なお、本明細書では、被検眼６０から見て遠点に配置されているように見える視標６２ａの実際の配置位置を、「遠点位置」と称す。制御部６５は、視標６２ａの移動に眼屈折力が追従している間は、眼屈折力の変化が無くなるまで視標６２ａの移動を続ける（Ｓ１０２、Ｓ１０３）。視標６２ａの移動に眼屈折力が追従しなくなり、眼屈折力の変化が無くなった時点でＳ１０４へ進む。
Ｓ１０４では、その時点における視標６２ａの位置を、被検眼６０の遠点位置Ｄ０とみなし、この遠点位置Ｄ０をメモリに記憶する。
【００４０】
図３に戻って、眼調節機能状態測定の本測定（Ｓ５００）を行う前に、Ｓ２００，Ｓ３００，Ｓ４００で、必要に応じてそれぞれ、視標６２ａの初期位置の修正、終了位置の修正、測定時間Ｔの修正を行う。
Ｓ５００では、眼調節機能状態測定の本測定を行う。Ｓ５００の動作は、図５によりさらに詳しく説明する。
【００４１】
図５は、眼調節機能状態測定の本測定の動作（Ｓ５００）を示すフローチャートである。
Ｓ５１０では、視標６２ａが遠点位置Ｄ０を基準とした初期位置に配置される。すなわち、先ず、視標６２ａは、その遠点位置Ｄ０よりも若干遠方の位置（Ｄ０＋α’０）に配置される。なお、位置（Ｄ０＋α’０）は、被検眼６０が調節を行っても視標６２ａを明視できず、しかし、視標６２ａがボケ過ぎないような位置である。このような位置（Ｄ０＋α’０）に配置するのは、被検眼６０の余計な動きを抑えるためである。したがって、α’０は、０．５Ｄｐ程度であることが、通常は好ましい。ただし、被検眼６０によっては、この初期位置が不適切な場合もあり、その場合には、先に示したＳ２００で初期位置の修正を行う必要がある。なお、視標６２ａの置かれた位置、及び、何回目の測定であるかは、表示部６６に表示する。これは、測定を８ステップ（８箇所の視標６２ａの位置）で行うために、測定者や被検者が現在どこの測定を行っているかわかりにくくなるのを避けるためのもので、現在何ステップ目で、残りはどれくらいかを表示するものである。
【００４２】
Ｓ５２０では、音楽の再生が開始される。この音楽は、測定時間Ｔと同じ時間で１曲が終わるものが設定されている。被検者及び測定者は、この音楽を聴くことにより、測定の進度を把握できるとともに、被検者の緊張を和らげることができる。なお、音楽の他に、例えば、何パーセント測定が完了したとか、測定終了まで何秒であるとかを音声で知らせるようにしてもよい。
Ｓ５３０では、視標６２ａは、同じ位置に所定時間Ｔだけ連続して配置され、そのときの眼屈折力の経時的な変化を監視し、高周波成分の出現頻度を算出する。Ｓ５３０の動作は、図６によりさらに詳しく説明する。
【００４３】
ところで、眼の調節機能状態を示す視標として、所定の高周波数成分の出現頻度が採用される理由は、次のとおりである。一般に、眼は、一定の距離に配置された物体を見ている状態であっても、毛様体筋を微動させている。この毛様体筋の微動は、「調節微動」と呼ばれる。そして、眼の毛様体筋の緊張が高じると、調節微動の特定の高周波数成分が増加し、しかもその緊張が高じるほどその発生頻度が高くなることが報告されている。
【００４４】
また、上記した時間Ｔ（眼屈折力の経時変化データをサンプリングする期間）は、被検眼６０が凝視することに対して毛様体筋に負担の少ない約２０秒以下で、Ｔ＝３秒，５秒，１０秒，２０秒の中から選択可能としている（Ｓ４００）。
また、実施例１では、各視標位置α’ｉ（ｉ＝０〜ｎ）についての調節機能状態だけでなく、さらに、時間Ｔ内での調節機能状態の変移をも調べるために、調節機能状態の解析は、時間Ｔ内を複数の区間に細分し、この各区間を解析対象としてそれぞれ行われる。ここで、各区間は、時間Ｔ内で１秒ずつずらして設定される。
以下では、Ｔ＝２０秒が選択されたものとし、１区間内の時間を８秒間とする。この場合、１区間８秒の区間が１秒ずつずらして設定されることにより、Ｔ＝２０秒間が１３区間に細分されることとなる。また、視標６２ａの位置は、８箇所（８ステップ）に移動させて測定を行う。
【００４５】
図６は、図５のＳ５３０における所定時間Ｔ中の眼屈折力の経時的な変化の監視及び高周波成分の出現頻度算出の動作を示すフローチャートである。
Ｓ５３１では、眼屈折力の測定を行い、その値を取得する。
Ｓ５３２では、第１区間分の時間が経過したか否かを判断し、第１区間分の時間が経過するまで眼屈折力の測定を継続する（Ｓ５３１，Ｓ５３２）。なお、ここで取得された各眼屈折力の経時変化データは、次の解析手順（Ｓ５３３，５３４）において使用されるデータとして、それぞれの取得時における視標位置αｉに対応付けられてメモリに記憶される。
Ｓ５３３では、第１区間の時間で取得された眼屈折力の経時変化データから、調節機能状態の視標として、所定の高周波数成分の出現頻度が算出される。なお、視標６２ａを配置する位置を個々の被検眼６０の特性（遠点位置Ｄ０）に応じたものとするので、個々の被検眼６０の調節機能状態を、統一基準の下で測定することができる。
【００４６】
図７は、解析手順（Ｓ５３３）を説明する図である。図７（ａ）は、ある視標位置α’ｉにおいて取得された眼屈折力の経時変化データを示す図である。図７（ａ）の横軸は、所定時間Ｔ内の経過時間（秒）を示し、縦軸は、眼屈折力（遠点位置Ｄ０を基準とする）（Ｄｐ）を示している。
【００４７】
先ず、眼屈折力の経時変化データには、被検眼６０が瞬きをしたときの情報も含まれている。被検眼６０が瞬きをしているときに屈折測定部６１から出力される信号値は、被検眼６０の瞼上における反射光を示すので、被検眼６０が瞬きをしているときのデータは、図７（ａ）中に矢印で示すように、それ以外のデータと比較して大幅に異なる値を示す場合がある。
そこで、制御部６５は、眼屈折力の経時変化データ（図７（ａ））から、眼屈折力が大幅にずれているデータ（矢印部）を除去する。そして、その部分のデータは、それに近接するデータにより補間される。この補間は、例えばスプライン補間（３次のスプライン補間）等である。図７（ｂ）に示すのが、補間後の眼屈折力の経時変化データである。
【００４８】
このように、瞬き時のデータが除去されれば、被検眼６０の調節機能状態をより精度よく求めることができる。なお、屈折測定部６１には、その内部にこの瞬き時のデータを自動的に除去する機能が付加されているものもある。それが付加されている場合、制御部６５による除去の処理は不要であることは言うまでもない。
【００４９】
次に、この補間後の眼屈折力の経時変化データ（図７（ｂ））のスペクトルパワーが算出される。この算出には、フーリエ変換、例えばＦＦＴ（高速フーリエ・コサイン・サイン変換）が適用される。
図７（ｃ）は、時間Ｔ内のある区間を変換対象として算出されたスペクトルパワーを示す図である。図７（ｃ）の横軸は周波数、縦軸はスペクトルパワーの対数である。ここで、上記した調節微動は、ある特定の高周波数を有することが分かっている。この周波数は、１〜２．３Ｈｚである。
【００５０】
そこで、制御部６５は、調節微動の出現頻度として、高周波数成分１〜２．３Ｈｚにおけるスペクトルパワーの積分値（図７（ｃ）グラフの斜線部の面積）を求める。そして、以上のような調節微動の出現頻度の算出は、各視標位置α’ｉ（ｉ＝０〜ｎ）の各区間について行われる。
【００５１】
Ｓ５３４では、第１区間の乱視度を算出する。
Ｓ５３５では、第１区間の高周波成分の頻度、乱視度を表示する。
Ｓ５３６では、何番目の区間であるかを表す引数Ｋ＝２とする。
Ｓ５３７では、途中停止を行うか否かの判断を行う。この判断は、測定者が特定の釦を押す等の操作を行うことにより、途中停止部６５ｄにその旨の記録が残っているか否かにより行われる。途中停止を行うときには、Ｓ５３８へ進み、途中停止を行わないときには、Ｓ５３９へ進む。この途中停止を行えるようにしたことにより、測定条件が被検眼６０に適していない場合等に無駄な測定を行ってしまうことを防止できる。
【００５２】
Ｓ５３８では、途中停止部６５ｄは、測定をそのまま再開するのか、途中終了するのかを選択する。具体的には、表示部６６上にその選択を行うように測定者に対して表示し、測定者の指示（操作）に従い、再開するのか、途中終了するのかを選択する。再開することが選択された場合には、Ｓ５３９へ進み、途中終了が選択された場合には、そのまま測定を終了する。
Ｓ５３９では、続く１秒間の眼屈折力を取得する。このステップは、Ｓ５３１，Ｓ５３２と同様な動作であるが、簡略化して示した。
Ｓ５４０〜Ｓ５４２は、Ｓ５３３〜Ｓ５３５と同様にして第Ｋ区間の高周波成分の頻度算出、乱視度算出、及び、これらの表示を行う。
Ｓ５４３では、時間Ｔに達したか否かの判断を行う。時間Ｔに達していない場合には、Ｓ５４４へ進み、時間Ｔに達している場合には、Ｓ５３０へリターンする。
Ｓ５４４では、Ｋ＝Ｋ＋１として、区間数を１つ進めて測定を継続する。
【００５３】
図５に戻って、Ｓ５５０では、視標６２ａが（Ｄ０＋α’ｎ）まで移動したか否かの判断を行う。
ところで、調節微動の発生の仕方は、視標６２ａを見ようとする調節努力によっても異なる。よって、調節機能状態は、互いに異なる視標位置α’１，α’２，・・・についてそれぞれ取得されることが好ましい。そこで、実施例１の本測定手順は、次のような視標位置（ステップ）からなることが好ましい。
先に説明したように、先ず、視標６２ａは、その遠点位置Ｄ０よりも若干遠方の位置（Ｄ０＋α’０）に配置される。そして、視標６２ａは、位置（Ｄ０＋α’０）から１ステップ（例えば０．５Ｄｐ）ずつ近方に移動する（α’をマイナス方向にずらす）と共に（Ｓ５６０）、各視標位置（α’１，α’２，・・・）において、それぞれ所定時間Ｔにおける眼屈折力の経時変化データが取得される（Ｓ５３０）。このステップ移動及びデータ取得は、視標６２ａの位置が十分に近方の所定の終了位置（Ｄ０＋α’ｎ）（Ｓ５５０でＹＥＳ）となるまで繰り返される（α’ｎ＝−３Ｄｐを標準とし、終了位置修正部６５ｂにより終了位置（Ｄ０＋α’ｎ）は修正可能）。
よって、Ｓ５５０において、視標６２ａが（Ｄ０＋α’ｎ）まで移動していない場合には、Ｓ５６０へ進み、視標６２ａが（Ｄ０＋α’ｎ）まで移動した場合には、Ｓ５８０へ進む。
【００５４】
Ｓ５６０では、視標を１ステップ（０．５Ｄｐ）移動する。
Ｓ５７０は、音楽の再生を終了し、Ｓ５２０へ戻る。これらのステップに進んだときには、１つのステップでの測定が終了したときであるので、そのタイミングで再生をいったん終了させるのである。なお、実施例１では、時間Ｔと時間の等しい音楽を選択しているので、このタイミングにあわせて音楽が終了する。なお、Ｓ５８０は、Ｓ５７０と同様に音楽の再生を終了するが、このＳ５８０に進んだ場合には、音楽の再生終了後、リターンして測定を終了する。
【００５５】
図８は、実施例１における眼調節機能状態の測定結果を表示した例を示す図である。
図８（ａ）には、左目の眼調節機能状態の変化が示され、図８（ｂ）には、右目の眼調節機能状態の変化が示され、図８（ｃ）には、乱視度（ＣＹＬ）及び乱視軸（Ａｘ）の変化が示されている。なお、図８は、全ての測定を完了した状態を示しており、途中結果を表示している状態では、進んだステップ又は区間までの結果が表示される。
図８（ａ），（ｂ）では、高周波数成分の出現頻度を、視標位置α’ｉ（ｉ＝０〜ｎ）毎、及び、区間毎に表している。図８では、視標位置は＋０．５〜−３．０Ｄｐまでを区間毎に表している。出現頻度別に棒グラフを色分け（図８では、ハッチングにより表現）ることで、被検者の調節状態を見ることになる。例えば、高周波成分頻度が高い場合は濃い色とし、高周波成分頻度が低い場合は薄い色とすれば、被検眼の調節状態を色や色の濃さで見ることが可能になる。
図８（ｃ）では、乱視度を縦軸に示し、乱視軸を色分けして表示し、これらを同時に視覚的に判断できるようにしている。
【００５６】
実施例１によれば、制御部６５に、初期位置修正部６５ａ，終了位置修正部６５ｂ，測定時間修正部６５ｃ，途中停止部６５ｄ，音声再生部６５ｅ，乱視成分変化表示部６５ｆ，測定途中結果表示部６５ｇ，データ処理部６５ｈ，情報検索部６５ｉ等を設けたので、被検者、及び、操作者の双方に掛かる負担を軽減し、より使いやすい眼調節機能状態測定装置とできる。
【００５７】
（実施例２）
図９は、本発明の実施例２の眼調節機能状態測定装置の構成図である。
実施例２は、測定装置本体１５１と、データ処理装置２００とを組み合わせて眼屈折機能状態測定装置とした例である。なお、前述した実施例１と同様の機能を果たす部分には、同一の符号を付して、重複する説明を適宜省略する。
測定装置本体１５１は、実施例１の眼調節機能状態測定装置５１から、記憶部６９，音声再生部６５ｅ，乱視成分変化表示部６５ｆ，測定途中結果表示部６５ｇ，データ処理部６５ｈ，情報検索部６５ｉに相当する部分を省き、通信部６５ｊを追加したものである。
【００５８】
データ処理装置２００は、音声再生部２６５ｅ，乱視成分変化表示部２６５ｆ，測定途中結果表示部２６５ｇ，データ処理部２６５ｈ，情報検索部２６５ｉを備え、通信部６５ｊを介して測定装置本体１５１と通信可能な装置である。
なお、データ処理装置２００は、コンピュータと、このコンピュータにインストールさせて実行されるプログラムであって、当該コンピュータを、音声再生部２６５ｅ，乱視成分変化表示部２６５ｆ，測定途中結果表示部２６５ｇ，データ処理部２６５ｈ，情報検索部２６５ｉとして機能させるためのプログラムとにより形成してもよい。
【００５９】
実施例２の眼調節機能状態測定装置は、上述のように、実施例１とほぼ同様な構成を備えているが、測定装置本体１５１とデータ処理装置２００とに分けたことにより、動作を実施例１の場合と変えている部分がある。よって、以下に、実施例２の眼調節機能状態測定装置の動作について説明する。
図１０は、測定装置本体１５１の測定開始前の準備処理を示すフローチャートである。
Ｓ１０１０では、指標６２ａの測定開始位置を設定する。指標６２ａの測定開始位置は、実施例１と同様に、基本は、遠点位置から＋０．５Ｄｐという位置に遠ざけるが、必要に応じて、遠点位置Ｄ０＋αの位置を初期位置とすることができ、このステップでは、αの値を設定できる。
Ｓ１０２０では、指標６２ａの測定終了位置を設定する。指標６２ａの測定終了位置は、基本は、遠点位置−３．０Ｄｐであるが、必要に応じて遠点位置Ｄ０−βの位置を測定終了位置とすることができ、このステップでは、βの値を設定できる。
Ｓ１０３０では、１ステップの測定時間Ｔを設定する。測定時間Ｔは、実施例１と同様に、Ｔ＝３秒，５秒，１０秒，２０秒の中から選択可能である。なお、基本は、１０秒である。
Ｓ１０４０では、サンプリング時間を設定する。サンプリング時間は、７０ｍｓ，９０ｍｓ，１１０ｍｓの中から選択可能である。なお、基本は、１１０ｍｓである。
【００６０】
図１１は、測定装置本体１５１の測定動作を示すフローチャートである。
Ｓ１１００では、遠点位置Ｄ０を測定する。
図１２は、遠点位置Ｄ０測定の動作（Ｓ１１００）を示すフローチャートである。
Ｓ１１１０では、眼屈折力を測定する。このとき、指標６２ａは、光学的に＋５Ｄｐの位置にあり、指標６２ａは、ぼやけて見えている。
Ｓ１１２０では、指標６２ａを眼屈折力の値の位置に移動する。指標６２ａが移動することにより、指標６２ａに被検眼６０のピントが合い、指標６２ａがはっきりと見える。
Ｓ１１３０では、指標を遠点（所定位置Ｄ００）に移動する。これは、調節緊張を取り除くためである。
Ｓ１１４０では、眼屈折力を複数回記録する。
Ｓ１１５０では、眼屈折力が安定しているか否かを判断する。眼屈折力が安定している場合には、Ｓ１１６０へ進み、安定していない場合には、Ｓ１１２０へ戻る。
Ｓ１１６０では、眼屈折力が安定したときの眼屈折力を遠点位置Ｄ０とする。
【００６１】
図１１に戻って、Ｓ１１５０では、Ｄ０＋αの位置に指標６２ａを移動する。
Ｓ１２００では、視標６２ａの初期位置の修正を必要に応じて行う。なお、ここでの初期位置の修正は、遠点位置Ｄ０を修正することにより行う。修正が行われた場合には、修正されたＤ０＋αの位置に指標６２ａを移動する。
Ｓ１５００では、眼調節機能状態の本測定を行う。
【００６２】
図１３は、測定装置本体１５１の眼調節機能状態測定の本測定の動作（Ｓ１５００）を示すフローチャートである。
Ｓ１５１０では、測定開始をデータ処理装置２００へ送信する。
Ｓ１５２０では、１ステップの測定時間として指定されている時間Ｔの間、眼屈折力を測定する。なお、このステップ中では、途中停止、途中再開、途中終了を行える。
Ｓ１５３０では、１ステップの測定が終了した段階で、そのデータをデータ処理装置２００へ送信する。
Ｓ１５４０では、指標６２ａを−０．５Ｄｐ移動する。
Ｓ１５５０では、指定されたステップ数が終了したか否かを判断する。指定されたステップ数が終了している場合には、Ｓ１５６０へ進み、指定されたステップ数が終了していない場合には、Ｓ１５２０へ戻る。
Ｓ１５６０では、測定終了をデータ処理装置２００へ送信する。
【００６３】
図１４は、データ処理装置２００の眼調節機能状態測定の本測定の動作を示すフローチャートである。
データ処理装置２００は、測定装置本体１５１から測定開始を受信したら、Ｓ２０１０で不図示の表示画面の初期化を行う。
Ｓ２０２０では、音楽再生が選択されている場合に、音楽の再生を行う。
Ｓ２０３０では、測定装置本体１５１からデータが送られてくることを待つ。データを受信したら、Ｓ２０４０へ進む。
Ｓ２０４０では、１ステップ分のデータを受信する。なお、データの受信中は、音楽再生を中止する。
【００６４】
Ｓ２０５０では、１区間のデータを抽出する。
Ｓ２０６０では、ノイズのカットを行う。例えば、瞬きを行ったときに生じるノイズの除去等である。
Ｓ２０７０では、３次のスプライン補間を行う。データ処理装置に送られてくる１ステップのデータは、時間的に不等間隔のデータである。不等間隔であると、この後のステップで行うＦＦＴを行えない。そこで、３次スプライン補間を行い、時間的に等間隔のデータに変換している。
Ｓ２０８０では、ＦＦＴを行い、眼屈折力の経時変化データのスペクトルパワーが算出される。
【００６５】
Ｓ２０９０では、調節微動の出現頻度として、高周波数成分１〜２．３Ｈｚにおけるスペクトルパワーの積分値を求める。
Ｓ２１００では、１ステップ分の区間数の演算が終了したか否かの判断を行う。１ステップ分の区間数の演算が終了している場合には、Ｓ２１１０へ進み、１ステップ分の区間数の演算が終了していない場合には、Ｓ２０５０へ戻る。
Ｓ２１１０では、測定結果をグラフ表示する。
Ｓ２１２０では、測定装置本体１５１から測定終了を受信したか否かの判断を行う。測定装置本体１５１から測定終了を受信したら、動作を終了し、測定終了を受信していない場合には、Ｓ２０３０へ戻る。
【００６６】
以上説明したように、実施例２では、測定装置本体１５１とデータ処理装置２００とに分けて形成した。したがって、データ処理装置２００のみを変更することにより、データ処理の機能を向上させることができる。また、データ処理装置２００を、コンピュータと、このコンピュータにインストールさせて実行されるプログラムとにより構成すれば、より簡単に機能の向上、処理速度の向上などを行える。
【００６７】
（変形例）
以上説明した実施例に限定されることなく、種々の変形や変更が可能であって、それらも本発明の均等の範囲内である。
例えば、各実施例において、測定時間Ｔは、４種類の中から選択可能とした例を示したが、これに限らず、例えば、測定時間を自由に設定できるようにしてもよい。
【符号の説明】
【００６８】
５１  眼屈折力測定装置
６１  測定部
６１ａ  チョッパ
６１ｂ  赤外光光源
６１ｃ，６１ｄ  レンズ
６１ｅ  ハーフミラー
６１ｆ  レンズ
６１ｇ  絞り
６１ｈ  受光部
６１ｉ  モータ
６２  投影部
６２ａ  視標
６２ｂ  可視光光源
６２ｃ  凸レンズ
６２ｄ  モータ
６３  ダイクロイックミラー
６５  制御部
６５ａ  初期位置修正部
６５ｂ  終了位置修正部
６５ｃ  測定時間修正部
６５ｄ  途中停止部
６５ｅ  音声再生部
６５ｆ  乱視成分変化表示部
６５ｇ  測定途中結果表示部
６５ｈ  データ処理部
６５ｉ  情報検索部
６６  表示部
６９  記憶部
【図１】
0005597618.tif 000002
【図２】
0005597618.tif 000003
【図３】
0005597618.tif 000004
【図４】
0005597618.tif 000005
【図５】
0005597618.tif 000006
【図６】
0005597618.tif 000007
【図７】
0005597618.tif 000008
【図８】
0005597618.tif 000009
【図９】
0005597618.tif 000010
【図１０】
0005597618.tif 000011
【図１１】
0005597618.tif 000012
【図１２】
0005597618.tif 000013
【図１３】
0005597618.tif 000014
【図１４】
0005597618.tif 000015